(57)【要約】【課題】本考案は、現場での作業をできるだけ少なくし、部品点数を少なくし、かつ歩留りの良いしのび返しを提供することを目的とする。【解決手段】本考案のしのび返しは、門扉または塀の上端に、第１単位板状体が零個または整数倍個、第２単位板状体が零個または整数倍個および第３単位板状体が零個または整数倍個それぞれ長手方向に並べられ、かつ固着され、前記第１、第２および第３単位板状体の長手方向の長さが相異なり、前記第１、第２および第３単位板状体の端縁に、上方に延びる鋭利な尖端を有する複数の串棒を備えた列が、対向して一対形成されてなることを特徴とする。【選択図】図１
0003140805.tif 000002
【実用新案登録請求の範囲】
【請求項１】
門扉または塀の上端に、第１単位板状体が零個または整数倍個、第２単位板状体が零個または整数倍個および第３単位板状体が零個または整数倍個それぞれ長手方向に並べられ、かつ固着され、前記第１、第２および第３単位板状体の長手方向の長さが相異なり、前記第１、第２および第３単位板状体の端縁に、上方に延びる鋭利な尖端を有する複数の串棒を備えた列が、対向して一対形成されてなるしのび返し。
【考案の詳細な説明】
【技術分野】
【０００１】
本考案はしのび返しに関する。さらに詳しくは、門扉または塀の上端に、第１単位板状体が零個または整数倍個、第２単位板状体が零個または整数倍個および第３単位板状体が零個または整数倍個それぞれ長手方向に並べられ、かつ固着され、前記第１、第２および第３単位板状体の長手方向の長さが相異なり、前記第１、第２および第３単位板状体の端縁に、上方に延びる鋭利な尖端を有する複数の串棒を備えた列が、対向して一対形成されてなるしのび返しに関する。
【背景技術】
【０００２】
しのび返しとして従来、基体と中間支持体と複数の棒状体とがボルトやネジ等の固定手段で連結されたものが知られている（特許文献１参照）。特許文献１記載のしのび返しは、基体と中間支持体と複数の棒状体がそれぞれ着脱自在にされており、しのび返しの１ユニットの長手方向の長さは、３０〜６０ｃｍ程度である。特許文献１記載のしのび返しは、現場で組立てたり、門扉や塀の長さに合わせて現場で切断加工し、門扉や塀に取り付けられている。しかし、特許文献１のしのび返しは、基体と中間支持体と棒状体とを連結するための現場での作業が必要であり、部品点数が多いという問題がある。さらに、１ユニットが長手方向の長さが１種類に限られているので、歩留りがよくないという問題がある。
【０００３】
【特許文献１】実用新案登録第３１０３２２１号公報
【考案の開示】
【考案が解決しようとする課題】
【０００４】
本考案は、現場での作業をできるだけ少なくし、部品点数を少なくし、かつ歩留りの良いしのび返しを提供することを目的とする。
【課題を解決するための手段】
【０００５】
本考案のしのび返しは、門扉または塀の上端に、第１単位板状体が零個または整数倍個、第２単位板状体が零個または整数倍個および第３単位板状体が零個または整数倍個それぞれ長手方向に並べられ、かつ固着され、前記第１、第２および第３単位板状体の長手方向の長さが相異なり、前記第１、第２および第３単位板状体の端縁に、上方に延びる鋭利な尖端を有する複数の串棒を備えた列が、対向して一対形成されてなることを特徴とする。
【考案の効果】
【０００６】
本考案のしのび返しによれば、部品点数が少なく、現場での作業を少なくすることができる。また、長手方向の長さが異なる第１、第２および第３単位板状体から構成されることにより、歩留りがよく、産業廃棄物の量を減らすことができ、環境問題に配慮したしのび返しを提供することができる。
【考案を実施するための最良の形態】
【０００７】
本考案の実施の形態にかかわるしのび返しを添付図面を参照しながら以下に詳細に説明する。
【０００８】
図１は本考案のしのび返しの一実施の形態を示す図であり、図２（ａ）は本考案のしのび返しに用いられる第１単位板状体を示す図、（ｂ）は本考案のしのび返しに用いられる第２単位板状体を示す図、（ｃ）は本考案のしのび返しに用いられる第３単位板状体を示す図であり、図３（ａ）は本考案のしのび返しの使用状態を説明するための図、（ｂ）は本考案のしのび返しの他の使用状態を示す図であり、図４は本考案のしのび返しの他の実施の形態を示す斜視図であり、図５（ａ）は本考案のしのび返しの他の実施の形態を示す斜視図、（ｂ）は本考案のしのび返しの他の実施の形態を示す側面図であり、図６（ａ）は本考案のしのび返しの他の実施の形態を示す斜視図、（ｂ）は本考案のしのび返しの他の実施の形態を示す側面図であり、図７（ａ）は本考案のしのび返しの他の実施の形態を示す斜視図であり、（ｂ）は本考案のしのび返しの他の実施の形態を示す側面図である。
【０００９】
実施の形態１
図１を参照すると、しのび返し１は、単位板状体１０に複数の串棒２が長手方向に並べられ構成されている。ここで単位板状体とは、所定の長さを有するモジュール（ないしはユニット）として機能する板状の部材であって、塀や門扉に取り付けられる部材である。単位板状体１０を塀や門扉に取り付けるには、公知の固着手段が用いられ、固着手段には、公知の固着手段である螺子やくぎ、接着剤などが好適に採用されるが特に限定されることはない。図１における単位板状体１０は、細長帯状を呈しているが、平板状に限られることはなく、折り曲げられた板状でも構わない。単位板状体１０は、堅牢性を持ち、破壊しにくいものであれば特に限定されないが、金属材料が好適に採用される。
【００１０】
単位板状体１０の端縁、すなわち単位板状体１０長手方向の側縁には、長串棒２１と短串棒２２が交互に連続して上方に延びるように形成されている。本実施の形態においては、長串棒２１と短串棒２２が交互に並んでいるが、「長串棒・長串棒・短串棒」の順で連続するように形成しても構わないし、「短串棒・短串棒・長串棒」の順に形成しても構わないし、長串棒２１、短串棒２２をランダムに形成しても構わない。また、長短だけでなく、異なる形状の串棒を交互に形成することもランダムに形成することも可能である。本考案において、串棒とは、鋭利な尖端を有する部材をいい、特に形状は限定されない。串棒２の材質は、単位板状体１０と同様、堅牢性を持ち、破壊しにくいものであれば特に限定されないが、金属材料が好適に採用される。串棒２は、単位板状体１０と一体に成形されても別体に成形されても構わないが、部品点数を少なくし、現場での加工の容易性、製造コストの面からも一体に成形されることが好ましい。
【００１１】
図１において長串棒２１と短串棒２２は、同一面上に一列に形成されているが、後述する図６、図７に示されるごとく串棒２を２列、３列に形成することもできる。本考案のしのび返し１は、複数の串棒２を備えた当該列が対向して一対形成されている。図１における串棒２は、単位板状体１０に対して垂直な状態から、対向する串棒２の尖端が互いに離れる方向に傾いて形成されているが、互いの串棒２が平行に対向しても構わないし、対向する串棒２の尖端が互いに近づく方向に傾いていても良い。実施の形態１では、長串棒２１と長串棒２１が対向し、短串棒２２と短串棒２２とが対向し、対向する列が同じ形状を呈しているが、対向する列が同じ形状を呈する必要はなく、それぞれ別形状を呈していても構わない。
【００１２】
図２（ａ）〜（ｃ）に示されるように、単位板状体１０は、長さの異なる３種類の第１単位板状体１１、第２単位板状体１２、第３単位板状体１３が用いられる。しのび返し１は、図２、図３に示すように、単位板状体が複数、すなわち第１単位板状体１１、第２単位板状体１２および第３単位板状体１３がそれぞれ零個または整数倍個並べられて構成されている。第１〜第３単位板状体は、門扉や塀の長さに合わせてどの単位板状体をいくつ用いるかを選択することができ、長さの異なる３種類の単位板状体を用いるので、歩留りをよくすることができ、現場での切断等によるしのび返し部材の廃棄量を減らすことができる。
【００１３】
たとえば１１５０ｍｍの門の上にしのび返しを設置したい場合に本考案のしのび返しを使用する一例を図３（ａ）に示す。門の全長Ｘが１１５０ｍｍである場合、５００ｍｍのしのび返ししかない場合には、５００ｍｍのしのび返しを２つ用いて、残りの１５０ｍｍは５００ｍｍのしのび返しを現場で切断して設置することになるが、余った３５０ｍｍ分のしのび返しは廃棄しなければならない。それに対して本考案のように３種類の単位板状体、たとえば第１単位板状体１１が１００ｍｍ、第２単位板状体１２が２００ｍｍ、第３単位板状体１３が３００ｍｍの場合には、３００ｍｍの第３単位板状体１３を３つ用い、２００ｍｍの第２単位板状体１２を１つ用いることにより、門の上端には、Ｘ１＝（Ｌ３×３）＋（Ｌ２×１）＋（Ｌ１×０）＝１１００ｍｍのしのび返しが形成される。残りの５０ｍｍについては、現場で第１単位板状体１１を切断することにより、廃棄するのは５０ｍｍで済むので、歩留りをよくすることができ、現場での切断等によるしのび返し部材の廃棄量を減らすことができるので、産業廃棄物を減らすことができ、環境に配慮したしのび返しを提供することができる。同様に門の全長Ｘが１０５０ｍｍである場合、５００ｍｍのしのび返ししかない場合には、４５０ｍｍ分のしのび返しを廃棄しなければならないが、本考案によれば、３００ｍｍの第３単位板状体１３を３つ用い、第１単位板状体１１を１つ用いることにより、Ｘ２＝（Ｌ３×３）＋（Ｌ２×０）＋（Ｌ１×１）＝１０００ｍｍのしのび返しが形成されるので、不足分の５０ｍｍは第１単位板状体１１を切断して設置し、廃棄するしのび返しは５０ｍｍで済むので、歩留りをよくすることができる。
【００１４】
なお、第１〜第３単位板状体は、長手方向に並べられしのび返し１を構成するが、単位板状体１０同士の連結の仕方は、特に限定されず、単位板状体を単に並べてそれぞれを上記固着手段により、塀や門扉の上端に取り付ける他、単位板状体同士を螺子、くぎ、接着剤により固着することも可能である。
【００１５】
実施の形態２
つぎに、本考案のしのび返しの他の実施の形態を図４に示す。図４における実施の形態は、単位板状体１０の形状が、Ｕ字状に折り曲げられた板状体であり、その長手方向の側縁に、焼き鳥の串状の串棒２が形成されている。その他の点については、図１と同様であるので、省略する。実施の形態２の単位板状体１０には、合成樹脂を用いることも可能であり、Ｕ字状の合成樹脂製板状体１０の対向する長手方向の側縁にそれぞれ複数の串棒２が植え込まれている。串棒２は、金属が好適に採用され、インサート成形等により、金属製の串棒２を合成樹脂製板状体に植え込むことが可能であり、一体的に成形することが可能である。また、対向する串棒２を互いに串棒２の尖端と反対側の端部を互いに連結し、Ｕ字型に一体的に成形することにより、インサート成形が容易になる。単位板状体１０に合成樹脂を用いることにより、コストを削減することができ、現場での加工作業も容易になる。
【００１６】
実施の形態３
つぎに、本考案の他の実施の形態を図５に示す。図５を参照すると、細長帯状の単位板状体１０に、所定の間隔をあけて尖端が三角形状の串棒２が複数形成されている。実施の形態３では、対向する串棒２が互いに平行に形成されている。串棒２は、単位板状体１０と一体に成形し、三角形状の串棒部分を折り曲げて図５のように形成することが可能であるし、溶接により、三角形状の串棒２を単位板状体１０と一体的にすることもできる。
【００１７】
図６および図７は、実施の形態３の変形例を示す図である。単位板状体１０の形状、串棒２の形状は図５と同様である。図６は、単位板状体１０のそれぞれの側縁に串棒が２列形成されているしのび返し１であり、単位板状体１０に対して垂直な状態、すなわち、図５における串棒の状態から、対向する串棒側に向かって折り曲げられた串棒２３の列と、単位板状体１０に対して垂直な状態から対向する串棒から離れるように折り曲げられた串棒２４の列との２列から構成されている。このようにそれぞれの側縁に串棒を２列形成することにより、威圧感を増すことが可能である。図７は、単位板状体１０のそれぞれの側縁に串棒が３列形成されているしのび返し１であり、単位板状体１０に対して垂直な串棒の列と、対向する串棒側に向かって折り曲げられた串棒の列と、対向する串棒から離れるように折り曲げられた串棒の列の３列から構成されている。単位板状体のそれぞれの側縁に３列ずつ串棒の列が形成されているので、侵入者や動物に対する威圧感を増すことができる。本考案における串棒の列は１〜３列に限られることはなく、当業者に自明な修正、変更、変形は本考案に含まれる。
【図面の簡単な説明】
【００１８】
【図１】本考案のしのび返しの一実施の形態を示す図である。
【図２】（ａ）は本考案のしのび返しに用いられる第１単位板状体を示す図、（ｂ）は本考案のしのび返しに用いられる第２単位板状体を示す図、（ｃ）は本考案のしのび返しに用いられる第３単位板状体を示す図である。
【図３】（ａ）は本考案のしのび返しの使用状態を説明するための図であり、（ｂ）は本考案のしのび返しの他の使用状態を示す図である。
【図４】本考案のしのび返しの他の実施の形態を示す斜視図である。
【図５】（ａ）は本考案のしのび返しの他の実施の形態を示す斜視図であり、（ｂ）は本考案のしのび返しの他の実施の形態を示す側面図である。
【図６】（ａ）は本考案のしのび返しの他の実施の形態を示す斜視図であり、（ｂ）は本考案のしのび返しの他の実施の形態を示す側面図である。
【図７】（ａ）は本考案のしのび返しの他の実施の形態を示す斜視図であり、（ｂ）は本考案のしのび返しの他の実施の形態を示す側面図である。
【符号の説明】
【００１９】
１  しのび返し
１０  単位板状体
１１  第１単位板状体
１２  第２単位板状体
１３  第３単位板状体
２、２１、２２、２３、２４、２５、２６、２７  串棒
【図１】
0003140805.tif 000003
【図２】
0003140805.tif 000004
【図３】
0003140805.tif 000005
【図４】
0003140805.tif 000006
【図５】
0003140805.tif 000007
【図６】
0003140805.tif 000008
【図７】
0003140805.tif 000009